(57)【要約】【課題】レンズカバーの開閉時のクリック感を得られるとともに、繰り返し開閉動作に対する耐久性を確保しつつ、厚みを低減できるレンズカバー構造を提供する。【解決手段】カメラカバー機構は、カメラカバー２１を搭載して摺動する基板であって、スライド溝２２に係合して摺動するスライダ１と、スライダ１の幅方向（摺動方向と直交する方向）の一方の側面に形成された側面窪み１２および１４に係合する板バネユニット５と、他方の側面に形成された側面窪み１３および１５に係合する板バネユニット６とを備えて構成される。【選択図】図２
2007065443.tif 000002
【特許請求の範囲】
【請求項１】
表面にレンズが露出するレンズ収容筐体、
このレンズ収容筐体に対して前記レンズの光軸方向に積層され、前記レンズ収容筐体に対してスライド自在に係合し、このスライドに応じて前記レンズを覆う状態と前記レンズを露出する状態とが切り替えられ、前記スライド方向に沿って延びると共に前記光軸方向に広がる壁面に、溝又は突出部が形成されたレンズカバー、
前記レンズカバーの溝又は突出部と嵌合する突出部又は溝を有した弾性部材を備え、
前記スライドに応じて弾性変形して、前記レンズカバーの溝又は突出部から前記弾性部材の突出部又は溝が外れることを特徴とするレンズカバー構造。
【請求項２】
前記レンズカバーの溝又は突出部は、
前記レンズカバーの互いに向かい合う壁面に各々設けられ、
前記弾性部材は、各壁面に対して各々配置されていることを特徴とする請求項１記載のレンズカバー構造。
【請求項３】
各壁面に各々設けられた前記レンズカバーの溝又は突出部は、
互いにスライド方向における同一の位置に配置されていることを特徴とする請求項２記載のレンズカバー構造。
【請求項４】
前記弾性部材は、
金属で形成された板バネであることを特徴とする請求項１記載のレンズカバー構造。
【請求項５】
前記板バネは、
前記レンズ収容筐体への取り付け位置から前記突出部又は溝までの間に、折り返し部を有することを特徴とする請求項４記載のレンズカバー構造。
【請求項６】
レンズカバー構造は、
携帯機器に搭載されていることを特徴とする請求項１記載のレンズカバー構造。
【発明の詳細な説明】
【技術分野】
【０００１】
本発明はレンズカバー構造に関し、特に、十分なクリック感を得られるものに関する。
【背景技術】
【０００２】
レンズカバー構造としては、特許文献１に開示されるような構造が知られている。
【０００３】
すなわち、特許文献１の図５および図６においては、カメラカバーのガイド板と携帯ケースとに跨るようにコイルバネを配設し、コイルバネの弾性力によってカメラカバーを付勢することで、カメラカバーの摺動に規制をかける構成が示されている。
【０００４】
【特許文献１】特開２００３−２８９３５８号公報
【発明の開示】
【発明が解決しようとする課題】
【０００５】
特許文献１に開示されたカメラ付き携帯電話機においては、コイルバネの弾性力によってカメラカバーの摺動に規制をかけているが、コイルバネでは弾性力が弱く、開閉時のクリック感が得られないという問題や、開閉動作の繰り返しに対する耐久性に欠けるという問題があり、クリック感を得るためや、耐久性を増すためにバネ径を太くすると厚みが増すことになり、薄型化の傾向にある最近のカメラ付き携帯電話機には不適切な構造であった。
【０００６】
本発明は上記のような問題点を解消するためになされたもので、レンズカバーの開閉時のクリック感を得られるとともに、繰り返し開閉動作に対する耐久性を確保しつつ、厚みを低減できるレンズカバー構造を提供することを目的とする。
【課題を解決するための手段】
【０００７】
本発明に係る請求項１記載のレンズカバー構造は、表面にレンズが露出するレンズ収容筐体、このレンズ収容筐体に対して前記レンズの光軸方向に積層され、前記レンズ収容筐体に対してスライド自在に係合し、このスライドに応じて前記レンズを覆う状態と前記レンズを露出する状態とが切り替えられ、前記スライド方向に沿って延びると共に前記光軸方向に広がる壁面に、溝又は突出部が形成されたレンズカバー、前記レンズカバーの溝又は突出部と嵌合する突出部又は溝を有した弾性部材を備え、前記スライドに応じて弾性変形して、前記レンズカバーの溝又は突出部から前記弾性部材の突出部又は溝が外れるものである。
【発明の効果】
【０００８】
本発明に係る請求項１記載のレンズカバー構造によれば、スライドに応じて、弾性変形してレンズカバーの溝又は突出部から突出部又は溝が外れる弾性部材を備えているので、レンズカバーの開閉時に使用者にはクリック感が感じられ、レンズカバーが確実に開および閉状態になったことを確認できる。また、レンズカバーに設けられた溝又は突出部は、スライド方向に沿って延びると共に光軸方向に広がる壁面に設けられているので、スライド方向に沿って延びると共にレンズと対向する壁面に溝又は突出部を形成する場合と比べて、レンズカバー構造の厚みを低減することができる。
【発明を実施するための最良の形態】
【０００９】
＜実施の形態＞
本発明に係るレンズカバー構造の実施の形態であるカメラ付き携帯情報端末装置について、図１〜図８を用いて説明する。
【００１０】
＜Ａ．装置構成＞
＜Ａ−１．全体構成＞
図１(ａ)、（ｂ）に折り畳み式の携帯情報端末装置１００（レンズカバー構造、携帯機器）の開いた状態での外観斜視図を示す。なお、図１(ａ)は携帯情報端末装置１００の側面図を示し、携帯情報端末装置１００の背面図を示す。
【００１１】
図１に示すように携帯情報端末装置１００は、サブモニター１０１およびメインモニター（図示せず）が配設されたモニター側ケース１０と、操作キー（図示せず）およびカメラが配設されたキー側ケース２０（レンズ収容筐体）とに大別され、両者はヒンジ（図示せず）によって開閉可能に連結されている。
【００１２】
キー側ケース２０は、背面側のケースとなるリアケース２０１と、操作キー側のケースとなるフロントケース２０２とで構成されている。
【００１３】
そして、リアケース２０１の主面には、カメラレンズＣＬおよびカメラレンズＣＬのカバーとなる開閉自在のカメラカバー２１が、カメラレンズＣＬの光軸方向にリアケース２０１に積層されて設けられている。
【００１４】
カメラカバー２１はリアケース２０１の主面に、カメラレンズＣＬの上部を含むように設けられた矩形のスライド溝２２に嵌め込まれ、スライド溝２２の長手方向に沿って摺動可能（スライド自在）となっている。
【００１５】
次に、図２〜図４を用いて、カメラカバー２１を含めたカメラカバー機構の構成について説明する。
【００１６】
図２および図３は、キー側ケース２０の内部構造を示す図であり、リアケース２０１は取り除いた状態を示し、またカメラカバー機構とは関連の薄い構成は省略している。
【００１７】
図２に示すように、カメラカバー機構（レンズカバー）は、カメラカバー２１を搭載して摺動する基板であって、スライド溝２２に係合して摺動するスライダ１と、スライダ１の幅方向（摺動方向と直交する方向）の一方の側面に形成された側面窪み１２および１４に係合する板バネユニット５（弾性部材）と、他方の側面に形成された側面窪み１３および１５に係合する板バネユニット６とを備えて構成される。なお、スライダ１および板バネユニット５、６の構成については、後にさらに詳細に説明する。
【００１８】
図２においては、カメラカバー２１がカメラレンズＣＬを覆った閉状態を示しており、スライダ１の側面（スライド方向に延びると共にレンズの光軸方向に広がる壁面）に設けられた側面窪み１４および１５に、それぞれ板バネユニット５および６の先端の屈曲したバネかかり部５３および６３が係合した状態となっている。
【００１９】
また、図３においては、カメラカバー２１がカメラレンズＣＬを覆わない開状態（カメラカバー２１がカメラレンズＣＬを露出させる状態）を示しており、スライダ１の側面（スライド方向に延びると共にレンズの光軸方向に広がる壁面）に設けられた側面窪み１２および１３（溝）に、それぞれ板バネユニット５および６のバネかかり部５３および６３（突出部）が係合した状態となっている。
【００２０】
図４は、図３におけるＡ−Ａ線でのカメラカバー機構の矢示断面形状を表す図であるが、便宜的にリアケース２０１およびカメラカバー２１についても記載している。
【００２１】
図４に示すように、リアケース２０１のスライド溝２２は、リアケース２０１の主面２２１に形成された開口部ＯＰと、リアケース２０１の内部底面部２２２とで規定されている。
【００２２】
ここで、スライダ１の幅は、主面２２１に設けられた開口部ＯＰの幅よりも広く構成されているが、開口部ＯＰの幅方向の両辺外方の主面２２１の裏面と内部底面部２２２との間には、スライド溝２２内にスライダ１を収納可能とするように拡張空間が設けられているので、スライド溝２２内にスライダ１を挿入することが可能であり、一旦、スライド溝２２内にスライダ１を挿入すると、スライダ１が上下方向に外れることはない。なお、カメラカバー２１はスライダ１に接着剤あるいは両面粘着テープで固定されている。
【００２３】
カメラカバー２１の幅は、スライド溝２２の開口部ＯＰの幅よりも若干小さく設定されており、スライダ１の摺動に伴ってカメラカバー２１がスライド溝２２の開口部ＯＰと擦れ合うことはない。
【００２４】
また、カメラカバー２１の厚さは、スライド溝２２内にスライダ１を挿入した状態で、カメラカバー２１の最上面とリアケース２０１の主面２２１の最上面とが同じ高さとなる厚さに設定される。
【００２５】
また、スライダ１の材質は、リアケース２０１の材質よりも柔らかく、かつ摩擦係数の小さな樹脂等で構成されており、スライダ１が摺動することで内部底面部２２２や主面２２１を傷つけにくくなっている。
【００２６】
＜Ａ−２．スライダおよび板バネユニットの構成＞
次に、図５〜図７を用いて、スライダ１および板バネユニット５、６の構成について説明する。
【００２７】
図５は、図２を用いて説明したカメラカバー２１がカメラレンズＣＬを覆った閉状態のスライダ１と、板バネユニット５および６との係合状態を示す平面図である。なお、図５および図６において、スライダ１の摺動方向をＸ方向、それに直交する方向をＹ方向とする。
【００２８】
図５に示すようにスライダ１は、平面視形状が略矩形の平板であり、摺動方向（Ｘ方向）にあたる一方の端部から内部にかけてはＵ字型の切り欠き部１１を有している。
【００２９】
切り欠き部１１の円形部分の直径はカメラレンズＣＬの直径よりも大きく設定され、カメラカバー２１の閉状態にあっても、スライダ１がカメラレンズＣＬに接触することがない。
【００３０】
また、スライダ１の幅方向（Ｙ方向）の一方の側面（図に向かって左側の側面）には、切り欠き部１１が設けられた端部側に側面窪み１２を、切り欠き部１１とは反対の端部側に側面窪み１４を設けている。
【００３１】
そして、スライダ１の幅方向（Ｙ方向）の他方の側面（図に向かって右側の側面）には、切り欠き部１１が設けられた端部側には側面窪み１３を、切り欠き部１１とは反対の端部側には側面窪み１５を設けている。
【００３２】
ここで、側面窪み１２および１３は、それぞれが設けられたスライダ１の側面で同じ位置となるように設定され、これは側面窪み１４および１５においても同様である。
【００３３】
このように、側面窪み１２および１３、側面窪み１４および１５をそれぞれ左右対称に配設することで、板バネユニット５および６からバネ荷重がバランス良く与えられるので、カメラカバー２１のスムーズな摺動が可能となる。
【００３４】
なお、側面窪み１４および１５は、窪みの長さが所定長さに設定され、それぞれ板バネユニット５および６が係合した場合に、板バネユニット５および６のバネかかり５３および６３の可動範囲が窪みの長さで規制されるように構成されている。これは、カメラカバー２１の閉状態を保つためである。
【００３５】
一方、側面窪み１２および１３は、窪みの長さが規定されず、窪みの一方の端のみが存在し、他方の端は存在していない。これは、図６に示されるように、板バネユニット５および６のバネかかり部５３および６３がそれぞれ側面窪み１２および１３に係合すると、バネかかり部５３および６３の屈曲した部分が側面窪み１２および１３の段差を乗り越えるほどの外力を加えない限り、スライダ１はカメラカバー２１を閉状態にする方向には移動しないからである。
【００３６】
板バネユニット５は、側面窪み１２および１４が設けられたスライダ１の側面外方に配設され、大きく分けて、バネ保持板５１と、板バネ部５２と、バネかかり部５３とで構成されている。
【００３７】
板バネユニット５は、方形板状をなすバネ保持板５１の主面がスライダ１の主面と平行な関係をなすように配設され、主面を貫通する貫通孔５４を有している。この貫通孔５４にフロントケース２０２（図１）に設けたピンを差し込み、当該ピンの突出した部分を熱溶着することで板バネユニット５をフロントケース２０２に固定することができる。
【００３８】
板バネユニット５の板バネ部５２は、バネ保持板５１の一辺から垂直に折れ曲がり、当該一辺に沿って延在するように設けられた細長い板体５２１をバネ保持板５１とは反対側に１回折り返した形状を有し、当該板体５２１のバネ保持板５１側とは反対の先端部が、板バネ部５２の付勢方向（バネ荷重を加える方向）側に突出するように屈曲したバネかかり部５３を構成している。
【００３９】
また、板バネユニット６は、側面窪み１３および１５が設けられたスライダ１の側面外方に配設され、大きく分けて、バネ保持板６１と、板バネ部６２と、バネかかり部６３とで構成されている。
【００４０】
板バネユニット６は、方形板状をなすバネ保持板６１の主面がスライダ１の主面と平行な関係をなすように配設され、主面を貫通する貫通孔６４を有している。この貫通孔６４にフロントケース２０２（図１）に設けたピンを差し込み、当該ピンの突出した部分を熱溶着することで板バネユニット６をフロントケース２０２に固定することができる。
【００４１】
板バネユニット６の板バネ部６２は、バネ保持板６１の一辺から垂直に折れ曲がり、当該一辺に沿って延在するように設けられた細長い板体６２１をバネ保持板５１とは反対側に１回折り返した形状を有し、当該板体６２１のバネ保持板６１側とは反対の先端部が、板バネ部６２の付勢方向（バネ荷重を加える方向）側に突出するように屈曲したバネかかり部６３を構成している。
【００４２】
以上説明した板バネユニット５および６においては、それぞれバネ保持板５１および６１を有しているので、板バネユニット５および６のフロントケース２０２への取り付けが容易である。なお、板バネユニット５および６は、バネ用合金等の金属材で構成される。
【００４３】
ここで図５においては、側面窪み１４を示す領域”Ｘ”の詳細図として、側面窪み１４に板バネユニット５のバネかかり部５３が係合する状態を模式的に示している。
【００４４】
領域”Ｘ”の詳細図に示すように、バネかかり部５３はスライダ１の側面に押し当てられるように付勢される。これは板バネユニット６のバネかかり部６３においても同じであり、カメラカバー２１を開状態から閉状態にする場合、使用者がカメラカバー２１を指で押して摺動させ、側面窪み１４および１５に、バネかかり部５３および６３が係合することで、板バネ部５２および６２が有するバネ荷重によって使用者にはクリック感が感じられ、カメラカバー２１が確実に閉状態になったことを確認できる。また、バネかかり部５３および６３の屈曲部が側面窪み１４および１５の段差で係止することで、カメラカバー２１の摺動動作が規制され、カメラカバー２１が不用意に開状態になることを防止できる。
【００４５】
また、カメラカバー２１を閉状態から開状態にする場合、使用者がカメラカバー２１を指で押して摺動させ、側面窪み１４および１５に係合していたバネかかり部５３および６３を外し、側面窪み１２および１３に、バネかかり部５３および６３が係合することで、板バネ部５２および６２が有するバネ荷重によって使用者にはクリック感が感じられ、カメラカバー２１が確実に開状態になったことを確認できる。また、バネかかり部５３および６３の屈曲部が側面窪み１２および１３の段差で係止することで、カメラカバー２１の摺動動作が規制され、カメラカバー２１が不用意に閉状態になることを防止できる。
【００４６】
なお、スライダ１に加わるバネ荷重は、板バネユニット５および６の両方のバネ荷重の合計値で設定され、当該合計値は、約２Ｎ（ニュートン）である。
【００４７】
ここで、図７(ａ)、(ｂ)には、それぞれ板バネユニット５の側面図および平面図を示している。側面図および平面図から判るように板体５２１はバネ保持板５１と一体をなし、板体５２１の幅と厚みと材質により剛性が決まり、板体５２１の折り返し具合でバネ荷重を調整できる。
【００４８】
＜Ｂ．特徴的作用効果＞
以上説明したように携帯情報端末装置１００においては、カメラカバー２１を搭載して摺動するスライダ１の幅方向の両側面の外方に板バネユニット５および６を配設し、スライダ１に対して幅方向にバネ荷重を加えてカメラカバー２１の摺動動作を規制するカメラカバー機構を備えているので、スライダ１の側面窪み１４および１５に、板バネユニット５および６のバネかかり部５３および６３が係合することで、板バネ部５２および６２が有するバネ荷重によって使用者にはクリック感が感じられ、カメラカバー２１が確実に開および閉状態になったことを確認できる。
【００４９】
また、カメラカバー２１の摺動動作を規制するバネ荷重を得るのに板バネを用いるので、構造的に強固であり、繰り返し開閉動作に対する耐久性が得られるだけでなく、カメラカバー２１が不用意に開状態あるいは閉状態にならないだけのバネ荷重（例えば２Ｎ）を得ることが容易である。
【００５０】
また、板バネユニット５および６のように、バネ荷重の供給源を複数配設することで、バネ荷重をバランス良くスライダ１に与えることができるだけでなく、それぞれの板バネ部５２および６２の厚みや、幅および長さを小さくすることができる。
【００５１】
また、スライダの主面に対して垂直な方向にバネ荷重を加えることでスライダの摺動動作を規制する構成に比べて携帯情報端末装置１００の厚みを低減することができる。
【００５２】
ここで、比較のため、スライダの主面に対して垂直な方向にバネ荷重を加える構成について図８に示す携帯情報端末装置９０を用いて説明する。
【００５３】
図８は、カメラカバー７０を閉じた状態の携帯情報端末装置９０において、カメラカバー７０の摺動方向に沿った部分断面図であり、カメラカバー機構と、携帯情報端末装置９０のケース９１の一部とが示されている。
【００５４】
図８に示すように携帯情報端末装置９０は、スライダ７２がカメラカバー７０を搭載し、スライダ７２の裏面側には板バネ８０を収納する収納部９３が配設された構成を有している。収納部９３はケース９１の一部であり、板バネ８０は収納部９３の底面９３１に固定されている。
【００５５】
板バネ８０は、細長い板体８１を１回折り返した形状を有し、当該板体８１の一方の先端部がスライダ７２側に突出するように屈曲したバネかかり部８２となっている。なお、板体８１の他方の先端部は収納部９３の底面９３１に固定されている。
【００５６】
このような構成においては、カメラカバー７０を開くには、使用者がカメラカバー７０を指でずらして摺動させ、スライダ７２の先端部７２１とカメラカバー７０とで構成される段差部にバネかかり部８２が係合させ、その際に得られるクリック感によりカメラカバー２１が開状態になったことを確認する構成となっている。
【００５７】
このように、携帯情報端末装置９０においてはスライダ７２の主面に対して垂直な方向にバネ荷重を加えることで、クリック感を得るとともに、カメラカバー７０の摺動動作を規制している。
【００５８】
このような構成を採ると、板バネ８０を収納する収納部９３が必要になるとともに、バネかかり部８２がスライダ７２の主面に対して垂直な方向に可動するので、当該方向に対して可動のためのスペースが必要となり、結果として携帯情報端末装置９０の厚みが増すことになる。
【００５９】
ここで、携帯情報端末装置９０におけるカメラカバー機構に必要な厚みは、スライダ７２の下面から収納部９３の下面までの距離で規定され、当該距離はＴ２である。
【００６０】
一方、図４に示した断面図に示されるように、携帯情報端末装置１００におけるカメラカバー機構に必要な厚みは、スライダ１の下面から板バネユニット５および６の、それぞれのバネ保持板５１および６１の下面までの距離で規定され、当該距離はＴ１である。
【００６１】
図４および図８においては、スライダの厚みや、板バネの寸法にほとんど差がないものとして表しており、図４および図８から距離Ｔ１とＴ２とでは明らかに距離Ｔ１の方が短いことが判り、携帯情報端末装置１００におけるカメラカバー機構に必要な厚みは、携帯情報端末装置９０に比べて薄くて良いことが判る。
【００６２】
なお、実際に製造された携帯情報端末装置１００と９０とで、距離Ｔ１とＴ２との差は
０．８５ｍｍとなる。
【００６３】
薄型化の傾向にある最近のカメラ付き携帯電話機では、１ｍｍ単位での薄型化を図っており、カメラカバー機構を０．８５ｍｍ薄くできるということは、装置全体の薄型化に大きく寄与するものと言える。
【００６４】
＜Ｃ．変形例＞
以上説明した携帯情報端末装置１００においては、板バネユニット５および６が、それぞれバネ保持板５１および６１を有した構成を示したが、バネ保持板５１および６１は板バネユニット５および６の固定のための部材であり、バネ保持板５１および６１を設けなくても固定できるのであればバネ保持板５１および６１を有さない構成としても良い。
【００６５】
例えば、板バネ部５２および６２の、それぞれのバネかかり部５３および６３とは反対側の端部をフロントケース２０２に接着、あるいは熱溶着、あるいはフロントケース２０２に設けたスリット等に差し込むなどの方法で固定する構成を採ることもできる。
【００６６】
また、さらに簡略化した構成としては、板体を折り返すことなく、直線状の板体の一方の先端部にバネかかり部を設け、板体を所定のバネ荷重が得られる程度に折り曲げた構成を採ることもできる。この場合、バネかかり部が設けられた端部とは反対側の端部を、フロントケース２０２に接着、あるいは熱溶着、あるいはフロントケース２０２に設けたスリット等に差し込むなどの方法で固定すれば良い。
【００６７】
また、携帯情報端末装置１００は、カメラカバー機構（レンズカバー）にクリック感を出すための側面窪み１２、１３、１４、１５（溝）が設けられ、板バネユニット５、６に対応するバネ係り部５３、６３（突出部）が設けられているが、クリック感を出すための突出部をカメラカバー機構（レンズカバー）に設け、対応する溝を板バネユニット（弾性部材）に設けても、同様の効果を得ることができる。
【図面の簡単な説明】
【００６８】
【図１】本発明に係る実施の形態の携帯情報端末装置の外観を示す平面図である。
【図２】本発明に係る実施の形態の携帯情報端末装置のカメラカバー機構の構成を説明する平面図である。
【図３】本発明に係る実施の形態の携帯情報端末装置のカメラカバー機構の構成を説明する平面図である。
【図４】本発明に係る実施の形態の携帯情報端末装置のカメラカバー機構の構成を説明する断面図である。
【図５】本発明に係る実施の形態の携帯情報端末装置のスライダおよび板バネユニットの構成を説明する平面図である。
【図６】本発明に係る実施の形態の携帯情報端末装置のスライダおよび板バネユニットの構成を説明する平面図である。
【図７】本発明に係る実施の形態の携帯情報端末装置の板バネユニットの構成を説明する平面図である。
【図８】スライダの主面に対して垂直な方向にバネ荷重を加えるカメラカバー機構の構成を説明する断面図である。
【符号の説明】
【００６９】
５，６  板バネユニット、１２，１３，１４，１５  側面窪み、２０  キー側ケース、２１  カメラカバー、２２  スライド溝、５１，６１  バネ保持板、５２，６２  板バネ部、５３，６３  バネかかり部、ＣＬ  レンズ、２０１  リアケース。
【図１】
2007065443.tif 000003
【図２】
2007065443.tif 000004
【図３】
2007065443.tif 000005
【図４】
2007065443.tif 000006
【図５】
2007065443.tif 000007
【図６】
2007065443.tif 000008
【図７】
2007065443.tif 000009
【図８】
2007065443.tif 000010